(57)【要約】【課題】日々、一般消費者は、オリコミチラシ、宅配チラシ、その他の印刷物の情報の山に埋もれていて、自分が欲しい商品を探し当てるのに時間と労力をかけている。また、中小零細企業者は、オリコミチラシ、宅配チラシの印刷に費用を割けないため、販促活動が不十分であり、自社のホームページやインターネットチラシに一般消費者を招待できるほどのネームバリューはない。【解決手段】第三者機関がチラシのフォーマットをつくり指定した商品スペースをオークションにかけて、競り落とした企業が自社商品を持ち寄ってなるチラシである。参加企業は、競り落とした商品スペースに自社商品を提供するとともに、一般消費者に併記されたアドレスをクリックしてもらえば自社の販促ツールであるインターネットチラシ、カタログ、ホームページに招待することができる。【選択図】図１
2010020806.tif 000002
【特許請求の範囲】
【請求項１】
第三者チラシのシステムは、第三者から承認を受けた企業が、第三者の指定する商品の掲載スペースをインターネットオークションで落札し、落札した企業は、指定商品に対応した自社商品を獲得スペースに掲載することができる。第三者は、落札した企業からの商品原稿を編集し、第三者のインターネットのホームページ上で掲載して、一般消費者のアクセスを受けることができる。第三者は、参加企業の規模、所在地、期間を指定することができる。参加企業は、単独、複数の区別なく、個人でもよい。第三者チラシのフォーマットおよび掲載商品ジャンルを一般消費者の要望を募集し、反映させることができる。第三者チラシのデータは、印刷データに転用できる。
【請求項２】
第三者チラシの指定商品の掲載スペース内には落札した企業が自社商品の商品名、商品写真、売価、商品説明コピーのほか、自社のインターネットチラシ、カタログ、ホームページ（インターネット販売、インターネットオークション）にアクセスできるアドレスを掲載し連動させることができ、アドレスをクリックすると飛び出してアクセスできる。
【請求項３】
第三者チラシの編集は、原稿締め切りまでに、落札した各々の企業が商品掲載スペースに自社商品の商品名、商品写真、売価、商品説明コピーをレイアウトし、貼り付けてインターネットで第三者に出稿する。第三者は、落札企業から受け取った原稿をフォーマットに落とし込んで編集が完了する。
【発明の詳細な説明】
【技術分野】
【０００１】
本発明は、商品の掲載スペースをオークションにかけることで落札企業が自社のアピール商品を持ち寄ってなるチラシである。一般消費者は、大量のチラシ情報を検索するという作業から解放される。
【背景技術】
【０００２】
一般的チラシは、一企業がある一定の期間と地域を設定して、自社商品の品質、価格とサービスをアピールするものである。一般消費者は、タイムリーに自分が欲求するものを大量のチラシ掲載商品の中から探そうとするが、情報過多であるため逆に探し難しい状況である。
【０００３】
この改善策として、一定の期間と地域を限定して多種多様な企業の参加を求め、第三者が商品を指定した商品掲載スペースを参加企業間で競り落とすオークション方式を採用する。商品スペースの落札は、一スペース複数企業でも可能であるため零細企業の参加を促進することができる。結果として、一般消費者は最高の品質、価格とサービスの情報を獲得することができ、企業側から見ても費用削減の効果を得ることができる。
【発明の開示】
【発明が解決しようとする課題】
【０００４】
この発明は、期間と地域を限定して、商品別に多種多様な企業が参加可能になることで一般消費者にいかに高品質、低価格、良いサービスを提供できるかである。
【課題を解決するための手段】
【０００５】
第三者が、期間と地域を設定して、チラシフォーマットを作製し、指定商品スペースを参加企業によってオークションする。落札企業の持ち寄る商品およびサービスでチラシ紙面を構成する。
【発明の効果】
【０００６】
一般消費者は期間と地域限定での最高の品質、価格とサービスに遭遇することが可能である。参加企業は、自社目玉商品を掲載することで、併記された自社チラシおよび他販売ツールのアドレスに連動させることで、自社の他の商品の販促になる。参加企業の単独、複数の区別がないため、より多くの企業参加を促すことができる。
【発明を実施するための最良の形態】
【０００７】
第三者チラシのフォーマットは、参加企業の紹介と商品掲載スペースおよび参加企業の紹介スペースに参加企業の自社チラシ、カタログ、ホームページ（インターネット販売、インターネットオークション）にアクセスすることのできるアドレスがあり、クリックすると飛ぶようになっている。
【０００８】
第三者チラシのオークションはチラシフォーマットにつくられた第三者の指定する商品の掲載スペースを参加企業間で競り落とすものである。参加企業は単独、複数企業の共同体、商店街であってもよく、第三者チラシに告知された売出し期間内に落札企業の出稿原稿通りの条件で一般消費者に提供されることが保証されるものである。第三者の指定する商品は第三者のホームページで一般消費者を対象にして絶えずマーケットリサーチがおこなわれ、季節商品、流行商品等の情報をくみ上げて一般消費者の意思を反映させたものである。
【０００９】
第三者チラシの編集作業は、オークションの落札企業が、第三者の指定する商品、例えば「りんご」あれば「津軽りんご  ゴールデンデリシャス  1玉150円…」原稿を所定の必要項目を満たし、実際の掲載スペースに商品写真データを落とし込んでレイアウトを完了し、原稿〆までに出稿する。上記要領で収集された修正のできない原稿を第三者のチラシのマザーフォーマットに編集して、第三者のホームページに期間と地域を限定の上、掲載して一般消費者のアクセスを受ける。
【実施例１】
【００１０】
図1は、第三者チラシでオークションされているところである。
【産業上の利用可能性】
【００１１】
参加企業が中小零細企業であるため、オリコミチラシ、宅配チラシを印刷・配布できなくても、第三者チラシにタイムリーに自社の目玉商品を掲載させて、掲載スペースに併記しておいた自社のインターネットチラシ、カタログ、ホームページのアドレスに、一般消費者が、アクセスしてもらうことができれば、自社商品の全体を見てもらうことができる。自社のインターネットチラシを売出し期間によって商品をメンテナンスしていくことでオリコミチラシ、カタログ等の販促ツール作製費用の削減に貢献する。第三者が、参加企業の規模を指定してオークションをおこなう場合は、地域産業の振興に貢献することができる。
【図面の簡単な説明】
【００１２】
【図１】第三者と参加企業と消費者との関係を示した構成図である。
【符号の説明】
【００１３】
1.      
第三者
2.      
参加企業Ａ（落札企業）
3.      
参加企業Ｂ
4.      
一般消費者
5.      
第三者のインターネットホームページ
6.      
第三者チラシのオークションをインターネット上で告知
7.      
オークション
8.      
落札企業が原稿出稿
9.      
原稿受領し編集後、第三者のインターネットホームページに
第三者チラシを掲載
10.    一般消費者が第三者チラシにアクセス
11.    興味、購買意欲のある商品を見つけて落札企業の
インターネットホームページにアクセス
【図１】
2010020806.tif 000003